(57)【要約】      （修正有）【課題】必要に応じて日除け垂れを展開して首筋の日焼けを防止することができ、また、不使用時には、日除け垂れを折り畳んでファッション性を損なうことなく保管する帽子の提供。【解決手段】帽子１を構成するクラウン２の下端側内周面後部に両端部を除いて日除け垂れ４が一体に縫製されるとともに、日除け垂れ４の両端に対応する位置にボタン６が設けられ、また、日除け垂れ４の両端部に、クラウン２に設けたボタン６にそれぞれ着脱自在なボタンリング５が設けられている。さらに、ブリム３の裏面後部に、折り畳まれた日除け垂れ４の収納部３Ａが設けられている。このため、日除け垂れ４のボタンリング５を、クラウン２のボタン６に装着することにより、クラウン２の後半部から日除け垂れ４を垂設し、また、クラウン２のボタン６から日除け垂れ４のボタンリング５を離脱させた後、日除け垂れ４を小さく折り畳んでブリム３の収納部３Ａに収納する。【選択図】図２
0003110940.tif 000002
【実用新案登録請求の範囲】
【請求項１】
クラウンおよび該クラウンに縫製されたブリムからなる帽子において、クラウンの下端側内周面後部に両端部を除いて日除け垂れが一体に縫製されるとともに、日除け垂れの両端に対応する位置に留め具が設けられ、また、日除け垂れの両端部に、クラウンに設けた留め具にそれぞれ着脱自在な被留め具が設けられ、さらに、ブリムの裏面後部に、折り畳まれた日除け垂れの収納部を有することを特徴とする帽子。
【考案の詳細な説明】
【技術分野】
【０００１】
この考案は、帽子、特に、日除け垂れを備えた帽子に関するものである。
【背景技術】
【０００２】
一般に、屋外でのスポーツなどに際しては、頭部を覆って寒さや暑さから守るため、帽子を着用するようにしている。
【０００３】
このような帽子において、紫外線の悪影響を防止するため、帽子本体の後方周縁部に太陽光線（紫外線）を遮蔽する日除けを設けた考案が提案されている（例えば、特許文献１参照）。
【０００４】
また、このような日除けを設けた帽子において、日除けを帽子本体に対して着脱自在とした考案も知られている（例えば、特許文献２参照）。
【特許文献１】特開２００２−２７５７２２号公報
【特許文献１】実用新案登録第３１０３５９５号公報
【考案の開示】
【考案が解決しようとする課題】
【０００５】
ところで、前述した帽子にあっては、後頭部、特に、首筋を直射日光から保護することができる。しかしながら、特許文献１の帽子にあっては、帽子本体に対して日除けが固定されているため、夏季はともかく、紫外線が弱い冬季において使用することには違和感がある。特に、女性にとっては、紫外線による日焼け防止という美容上の観点に加えて、ファッション性も選択肢となることから、季節にそぐわない帽子を着用することに強い抵抗がある。
【０００６】
一方、特許文献２の帽子にあっては、必要に応じて日除けを帽子本体に対して着脱することができ、季節感およびファッシャン性に配慮することができるものの、帽子本体から日除けを取り外した場合、日除けを紛失しないように保管する必要がある。すなわち、日除けを離脱させ、その保管場所を失念した場合、必要とするときに使用できないことが発生する。
【０００７】
本考案は、このような問題点に鑑みてなされたもので、必要に応じて日除け垂れを展開して首筋の日焼けを防止することができ、また、不使用時には、日除け垂れを折り畳んでファッション性を損なうことなく保管することのできる帽子を提供するものである。
【課題を解決するための手段】
【０００８】
本考案は、クラウンおよび該クラウンに縫製されたブリムからなる帽子において、クラウンの下端側内周面後部に両端部を除いて日除け垂れが一体に縫製されるとともに、日除け垂れの両端に対応する位置に留め具が設けられ、また、日除け垂れの両端部に、クラウンに設けた留め具にそれぞれ着脱自在な被留め具が設けられ、さらに、ブリムの裏面後部に、折り畳まれた日除け垂れの収納部を有することを特徴とするものである。
【０００９】
本考案によれば、日差しの強いときには、日除け垂れの両端部に設けた被留め具を、クラウンに設けた留め具に装着することにより、クラウンの後半部から日除け垂れを垂設することができる。このため、垂設された日除け垂れによって、側頭部、後頭部および首筋を覆って日焼けを防止することができる。
【００１０】
一方、日除け垂れを必要としないときには、クラウンの留め具から日除け垂れの被留め具をそれぞれ離脱させた後、日除け垂れの左右端部をそれぞれ内方に折り返すとともに、縦方向に折り込むことにより、日除け垂れを小さく折り畳んでブリムに沿わせることができる。次いで、ブリムに沿って折り畳まれた日除け垂れを収納部に収納することにより、人目に付きにくいブリムの裏面後方に保管することができる。
【００１１】
この結果、日除け垂れは、その一部がクラウンに縫製されているため、紛失することがなく、必要に応じて日差しを遮る位置に簡単に展開することができるとともに、不使用時には、折り畳んでブリムの裏面後方の収納部に収納されるため、人目につくことがなく、帽子の見栄えを損なうことがない。
【００１２】
本考案において、留め具および被留め具としては、ボタンとボタンリングまたはボタンホール、スタッドとソケットからなるスナップを挙げることができる。
【考案の効果】
【００１３】
本考案によれば、必要に応じて日除け垂れを展開して首筋の日焼けを防止することができ、また、不使用時には、日除け垂れを折り畳んでファッション性を損なうことなく保管することができる。
【考案を実施するための最良の形態】
【００１４】
以下、本考案の実施の形態を図面に基づいて説明する。
【００１５】
図１および図２には、本考案の帽子１の一実施形態が示されている。
【００１６】
この帽子１は、クラウン２および該クラウン２と一体に縫製されたブリム３と、クラウン３の下端側内周面後部に縫製された日除け垂れ４と、から構成されている。
【００１７】
日除け垂れ４は、後頭部下部から首筋を越える部位を覆う縦寸法と、ほぼ両耳を覆う横寸法からなる大きさの方形に形成されており、その横寸法の略１／４ずつの左右端部を除いて中央の上端縁部のみがクラウン２の内周面後部に縫製されている。そして、日除け垂れ４の左右端部には、被留め具としてのボタンリング５が設けられ、また、該ボタンリング５に対応して、クラウン２の下端側内周面には留め具としてのボタン６が設けられており、これらのボタンリング５をボタン６に着脱することができる。
【００１８】
一方、ブリム３の後部裏面には、日除け垂れ４の収納部３Ａが設けられている。この収納部３Ａは、日除け垂れ４の、クラウン２に縫製された部分の長さよりも若干大きな横寸法と、ブリム３の幅の範囲内の縦寸法からなる方形のポケット布７であって、ブリム３の柄模様と同一の柄模様を有している。そして、ポケット布７の四隅には面ファスナー（図示せず）が設けられている。一方、ブリム３の後部裏面には、日除け垂れ４の、クラウン２に縫製された部分に対向する位置において、ポケット布７の四隅に設けた面ファスナーとそれぞれ付着可能な面ファスナー（図示せず）が設けられている。
【００１９】
次に、このように構成された帽子１の使用方法について説明する。
【００２０】
まず、夏期などのように、日差しが強いときには、クラウン２に設けられたボタン６に日除け垂れ４の両端部に設けられたボタンリング５をそれぞれ装着した後、ブリム３を把握してクラウン３を頭部に被せればよい。このとき、日除け垂れ４は、その中央部分がクラウン２に予め縫製されるとともに、両端部がボタンリング５およびボタン６を介してクラウン２に連結されることから、首筋を含む後頭部および側頭部にわたって展開されて下方に垂下される。したがって、首筋を含む後頭部および側頭部に対する日差しを日除け垂れ４によって遮ることができ、首筋の日焼けを防止することができるとともに、目に入る日差しをブリム３によって抑えることができる。
【００２１】
一方、冬季などの日差しが強くないにときには、日除け垂れ４をブリム３の収納部３Ａに収納する。すなわち、クラウン２のボタン６から日除け垂れ４のボタンリング５を離脱させた後、日除け垂れ４の左右端部をそれぞれ内方に折り込み、次いで、縦方向にも複数回折り込み、小さな方形状に折り畳む（図３および図４参照）。そして、折り畳まれた日除け垂れ４をクラウン２に対する縫製部分を中心としてブリム３の裏面に沿わせた後、その上方からポケット布７を被せ、ポケット布７の面ファスナーをブリム３に設けた面ファスナーに付着させることにより、折り畳まれた日除け垂れ４をブリム３の裏面に沿った状態でポケット布７１によって外部に露出することなくブリム３との間に収納することができる（図５参照）。
【００２２】
したがって、日除け垂れ４は、ブリム３の裏面後部の人目につきにくい位置に折り畳まれて収納されるとともに、ブリム３と同じ柄模様のポケット布７によって覆われているため、帽子１の見栄えやファッション性を損なうことがない。
【００２３】
一方、日除け垂れ４を使用する場合は、面ファスナーによるポケット布７の付着を離脱すれば、折り畳まれた日除け垂れ４が伸展して下方に垂設することから、その両端部のボタンリング５をクラウン２のボタン６に装着すればよい。この際、ポケット布７の面ファスナーをブリム３の面ファスナーに付着させることにより、ポケット布７をブリム３と一体化して保管する。
【００２４】
なお、前述した実施形態においては、日除け垂れ４の左右端部にボタンリングを設けた場合を例示したが、ボタンホールであってもよく、また、留め具および被留め具としては、スタッドとソケットからなるスナップであってもよい。
【００２５】
また、日除け垂れ４の収納部３Ａとして、ブリム３に面ファスナーを設けるとともに、この面ファスナーと付着可能な面ファスナーを設けたポケット布７で例示したが、ブリム３にポケットを形成するようにポケット布７をブリム３に予め縫製してあってもよい。
【図面の簡単な説明】
【００２６】
【図１】本考案の帽子の位置実施形態を示す斜視図である。
【図２】図１の帽子を一部破断して示す斜視図である。
【図３】日除け垂れの収納要領を説明する斜視図である。
【図４】日除け垂れの収納要領を説明する斜視図である。
【図５】日除け垂れの収納状態を一部破断して示す斜視図である。
【符号の説明】
【００２７】
１  帽子
２  クラウン
３  ブリム
３Ａ  収納部
４  日除け垂れ
５  ボタンリング（被留め具）
６  ボタン（留め具）
７  ポケット布
【図１】
0003110940.tif 000003
【図２】
0003110940.tif 000004
【図３】
0003110940.tif 000005
【図４】
0003110940.tif 000006
【図５】
0003110940.tif 000007